(57)【特許請求の範囲】
【請求項１】
自動販売機の本体と、当該本体に開閉自在に支持され本体前面を開閉する扉と、当該扉の開放端部から前記本体側へ延出して設けられ、扉を閉じたときに扉の開放端部と本体前面との隙間を覆う第１カバー部材と、当該第１カバー部材と本体側面との隙間を覆う第２カバー部材とを備え、前記第２カバー部材は、前記本体の開放側の側面に凹部を形成し、扉を閉じたときに当該凹部に前記第１カバー部材の先端が入り込むように配設され、かつ、前記本体の内側から着脱可能に取り付けられていることを特徴とする自動販売機の扉こじ開け防止装置。
【請求項２】
前記第２カバー部材は、前記第１カバー部材よりも厚い板材で構成されていることを特徴とする請求項１に記載の自動販売機の扉こじ開け防止装置。
【発明の詳細な説明】
【０００１】
【発明の属する技術分野】
本発明は、悪戯によってなされる自動販売機の扉のこじ開けを防止するための装置に関する。
【０００２】
【従来の技術】
従来よりある自動販売機は、図１および図２に示す本発明の扉こじ開け防止装置を備えた自動販売機と同様に、販売商品等を収納する本体３と、ヒンジ４にて回動自在に支持され、本体３の前面を開閉する扉２とが設けられ、扉２には透明パネル２１で覆われた展示室２０と、透明パネル２１の前面に取り付けられ購入商品を選択指示するための複数の選択ボタン２３と、選択ボタンに対応して展示室内２０に配設されたサンプル商品２２と、扉２を施錠及び開閉するためのロックレバー２４と、商品を購入する際に金銭を投入する金銭投入口２５と、お釣り等を取り出すための返却口２６と、購入商品を取り出すための商品取出口２７等を備えてなるものである。
【０００３】
図４は従来の自動販売機における図２のＡ部平面断面図である。従来、扉２の開放端部２ａと本体３の前端部３ａとが合わさる部分に生じる隙間Ｓ１にバール等が差し込まれて図示しないロック機構によってロックされた扉２が強引にこじ開けられることを防止するため、扉２の開放端部２ａの背面に板金部材より形成されたカバー部材５をねじ５０によって取り付け、本体３側に延出するように折り曲げ形成されたフランジ５ａによって、扉２を閉じたときに隙間Ｓ１が覆われるように構成されていた。
【０００４】
【発明が解決しようとする課題】
しかしながら、扉２の開閉の際にフランジ５ａが本体３に接触しないようにするクリアランスが設計上必要であるため、扉２を閉じた状態で、フランジ５ａと本体側面３ｂとの間に隙間Ｓ２が生じてしまっており、悪戯目的にバール等をこの隙間Ｓ２に差し込まれてこじられた場合に、フランジ５ａが折れ曲がりバール等が隙間Ｓ１まで到達してしまうという不具合があり、バール等によるこじ開けを完全に防ぐことができなかった。こうした問題に対して、特開平１１−５３６３１号公報では、隙間Ｓ１内に邪魔板を設けてバール等が隙間Ｓ１の奥側まで入り込まないようにした構成が開示されている。しかしながら、こうした構成では、外観上は従来の構成と相違ないため、悪戯意識を防ぐことができず、従来同様にこじ開けを試みられる可能性を有しており、また、隙間Ｓ１にバール等の先端を差し込まれてしまうのは防ぎきれないため、バール等によって扉２や本体３が大きく破損されてしまうという問題を有している。
【０００５】
本発明は、こうした課題を解決するためになされたものであり、扉のこじ開けを確実に防止するとともに、悪戯意識を低減させることによって扉のこじ開けを未然に防ぐことのできる自動販売機の扉こじ開け防止装置を提供するものである。
【０００６】
【課題を解決するための手段】
請求項１の発明に係る自動販売機の扉こじ開け防止装置は、自動販売機の本体と、当該本体に開閉自在に支持され本体前面を開閉する扉と、当該扉の開放端部から前記本体側へ延出して設けられ、扉を閉じたときに扉の開放端部と本体前面との隙間を覆う第１カバー部材と、当該第１カバー部材と本体側面との隙間を覆う第２カバー部材とを備え、前記第２カバー部材は、前記本体の開放側の側面に凹部を形成し、扉を閉じたときに当該凹部に前記第１カバー部材の先端が入り込むように配設され、かつ、前記本体の内側から着脱可能に取り付けられていることを特徴とするものである（請求項１）。
【０００７】
この構成によれば、扉の開放端部と本体前面との隙間が第１カバー部材で覆われ、さらに、第１カバー部材と本体側面との隙間が第２カバー部材によって覆われているため、扉の開放端部と本体前面との隙間にバール等が差し込まれることを確実に防止できるとともに、バール等で扉をこじ開けようとする悪戯意識を低減させることができる。
【０００８】
この場合、前記第２カバー部材は、前記本体の開放側の側面に凹部を形成し、扉を閉じたときに当該凹部に前記第１カバー部材の先端が入り込むように配設され、第１カバー部材の先端が第２カバー部材によって形成された凹部に入り込むようにされているので、第１カバー部材と本体側面との隙間を完全に覆うことができ、悪戯防止により有効である。また、第２カバー部材が本体の内側から取り付けられているので、扉を開放しなければ取り外すことができないとともに、本体に対して着脱可能であるため、設置先の安全性に応じて第２カバー部材を取り付けるか否かを選択することができる。
【０００９】
そして、前記第２カバー部材は、前記第１カバー部材よりも厚い板材で構成されていることが望ましい。
【００１０】
この構成によれば、第２カバー部材と第１カバー部材との隙間にバール等が差し込まれてこじられた際には、第１カバー部材が本体側に曲がって、第１カバー部材と本体側面との隙間を塞ぐようになるので、こじ開け防止の効果がいっそう高まる。
【００１１】
【発明の実施の形態】
以下、図面を参照しながら、本発明の実施形態を詳細に説明する。図３は、本発明の扉こじ開け防止装置を備えた自動販売機における図２のＡ部平面断面図である。なお、従来の構成と同じものについては、従来の技術にて説明した符号と同一符号を付している。
【００１２】
図３に示すように、本発明の扉こじ開け防止装置は、扉２の開放端部２ａの背面にカバー部材５をねじ５０によって取り付け、本体３側に延出するように折り曲げ形成されたフランジ５ａによって、扉２を閉じたときに隙間Ｓ１が覆われるように構成されて成り、さらに、本体３の開放側の側面３ｂに凹部７を形成し、扉２を閉じたときに凹部７に第１カバー部材５の先端フランジ５ａが入り込むように配設された第２カバー部材６を備えて構成されている。そしてこれら第１カバー部材５と第２カバー部材６とは自動販売機１の上下方向ほぼ全域に渡って延設されている。
【００１３】
第２カバー部材６は、本体３の前端部３ａに面接する前面フランジ６ｄと、前面フランジ６ｄの左端から本体３内側に折り曲げられた内側フランジ６ｅと、前面フランジ６ｄの右端から折り曲げられ本体３の側面３ｂに面接する側面フランジ６ｃと、側面フランジ６ｃの後端から本体３の外方に向かって折り曲げられた立ち上がりフランジ６ｂと、立ち上がりフランジ６ｂの右端から前方に折り曲げられた先端フランジ６ａとからなり、側面フランジ６ｃと立ち上がりフランジ６ｂと先端フランジ６ａとで凹部７を形成するように一枚の板金部材で折り曲げ構成されている。
【００１４】
そして、この第２カバー部材６は、側面フランジ６ｃに取り付け穴６０ｃを備え、本体３の内側からねじ６０によってねじ止めされるようになっている。このとき、第２カバー部材６は本体３内側に設けられた板厚１．２ｍｍ程度の補強板金３１と共締め状態でねじ止めされるため頑強に固定されているとともに、内側フランジ６ｅと、前面フランジ６ｄと、側面フランジ６ｃとで本体３の前端部３ａを取り囲むように配設されるために、ねじ６０にて固着された状態では容易に取り外せないようになっている。また、第２カバー部材６の先端を内側に密着曲げ加工することにより、先端エッジによる危険を防止するとともに、先端部の強度を上げるように構成している。
【００１５】
このように、扉２の開放端部２ａと本体３の前端部３ａとで生じる隙間Ｓ１は第１カバー部材５と第２カバー部材６とによって２重に覆われるように構成されているために、外見上、扉２のこじ開けが困難な印象を与え、こじ開け等の悪戯意識を押さえ、悪戯を未然に防止することができる。さらに、万一第１カバー部材５と第２カバー部材６との隙間Ｓ３にバール等を差し込んで扉２のこじ開けようとしても、バール等によって隙間Ｓ３がこじられることによって、第２カバー部材６の先端フランジ６ａは外側に広がるが、逆に第１カバー部材５のフランジ５ａは本体３側に曲がってしまうため、隙間Ｓ２がふさがってしまう。これにより、バール等は隙間Ｓ１に到達させることが困難になるので、こじ開けに要する時間を大幅に増加させることができ、扉のこじ開けを確実に阻止することができる。なお、このとき、第２カバー部材５の強度を第１カバー部材６よりも厚い板金もしくは強い部材で構成しておくと、隙間Ｓ３がこじられた際に第１カバー部材が優先的に曲がるので、より確実に隙間Ｓ２がふさがれるようになり、こじ開け防止の効果がいっそう高まる。
【００１６】
また、バール等が隙間Ｓ１にまで到達しにくいので、扉２や本体３が変形されることが少なく、なおかつ、仮に第１カバー部材５や第２カバー部材６は変形されても、これらはねじ止めにより着脱可能に構成されているために容易に交換することが可能であり、悪戯による補修費用も非常に少なくなる。
【００１７】
【発明の効果】
以上に説明したように、本発明によれば、扉の開放端部と本体前面との隙間が第１カバー部材で覆われ、さらに、第１カバー部材と本体側面との隙間が第２カバー部材によって覆われているため、扉の開放端部と本体前面との隙間にバール等が差し込まれることを確実に防止できるとともに、バール等で扉をこじ開けようとする悪戯意識を低減させることができる。
【００１８】
また、第１カバー部材の先端が第２カバー部材によって形成された凹部に入り込むようにされているので、第１カバー部材と本体側面との隙間を完全に覆うことができ、悪戯防止により有効である。
【００１９】
また、第２カバー部材が本体の内側から取り付けられているので、扉を開放しなければ取り外すことができないとともに、本体に対して着脱可能であるため、設置先の安全性に応じて第２カバー部材を取り付けるか否かを選択することができる。
【００２０】
また、第２カバー部材を第１カバー部材よりも厚い板材で構成しておけば、第２カバー部材と第１カバー部材との隙間にバール等が差し込まれてこじられた際には、第１カバー部材が本体側に曲がって、第１カバー部材と本体側面との隙間を塞ぐようになるので、こじ開け防止の効果がいっそう高まる。
【図面の簡単な説明】
【図１】  本発明の扉こじ開け装置を備えた自動販売機の正面図である。
【図２】  本発明の扉こじ開け装置を備えた自動販売機の平面図である。
【図３】  本発明の扉こじ開け装置を備えた自動販売機における図１のＡ部平面断面図である。
【図４】  従来の自動販売機における図１のＡ部平面断面図である。
【符号の説明】
１     自動販売機
２     扉
３     本体
３ａ   前端部
３ｂ   本体側面
４     ヒンジ
５     第１カバー部材
６     第２カバー部材
７     凹部
Ｓ１   隙間
Ｓ２   隙間
【図１】
0003775104.tif 000002
【図２】
0003775104.tif 000003
【図３】
0003775104.tif 000004
【図４】
0003775104.tif 000005